(57)【要約】  本発明はコンテキスト識別子の指示方法、取得方法、ユーザー装置（ＵＥ）、基地局及びコンピュータ記憶媒体を開示し、該指示方法は、ＭＳＧ３メッセージに一部のＵＥコンテキスト識別情報及び第２基地局に対する識別情報の関連情報を含ませることと、前記ＭＳＧ３メッセージを第１基地局に送信することと、を含む。
2021502720.tif 000002
【特許請求の範囲】
【請求項１】
コンテキスト識別子の指示方法であって、
ユーザー装置（ＵＥ）に適用され、
ＭＳＧ３メッセージに一部のＵＥコンテキスト識別情報及び第２基地局に対する識別情報の関連情報を含ませることと、
前記ＭＳＧ３メッセージを第１基地局に送信することと、を含むコンテキスト識別子の指示方法。
【請求項２】
ＭＳＧ３メッセージに一部のＵＥコンテキスト識別情報及び第２基地局に対する識別情報の関連情報を含ませる前に、前記方法は、更に、
前記第２基地局の識別情報と第１基地局の識別情報との差値を取得することと、
前記差値がプリセット値より大きいかどうかを判断することと、を含む請求項１に記載の方法。
【請求項３】
前記方法は、更に、
前記差値が前記プリセット値以下である場合、前記第２基地局の識別情報と第１基地局の識別情報との差値及び前記第２基地局の識別情報と第１基地局の識別子との大小関係を前記第２基地局に対する識別情報の関連情報とすることを含む請求項２に記載の方法。
【請求項４】
前記方法は、更に、
前記差値が前記プリセット値より大きい場合、前記第２基地局に対する識別情報の位置指示情報を前記第２基地局に対する識別情報の関連情報とすることを含み、
前記第２基地局に対する識別情報の位置指示情報は、少なくとも前記第２基地局に対する識別情報がＭＳＧ５において送信されることを示すことに用いられる請求項２に記載の方法。
【請求項５】
前記ＭＳＧ３メッセージを前記第１基地局に送信した後、前記方法は、更に、
ＭＳＧ５に前記第２基地局に対する識別情報及び／又は前記一部のＵＥコンテキスト識別情報を含ませることと、
前記ＭＳＧ５を前記第１基地局に送信することと、を含む請求項４に記載の方法。
【請求項６】
コンテキスト識別子の取得方法であって、
第１基地局に適用され、
ＵＥから送信されたＭＳＧ３メッセージを受信することと、
前記ＭＳＧ３メッセージから一部のＵＥコンテキスト識別情報及び第２基地局に対する識別情報の関連情報を取得することと、を含むコンテキスト識別子の取得方法。
【請求項７】
前記ＭＳＧ３メッセージから一部のＵＥコンテキスト識別情報及び第２基地局に対する識別情報の関連情報を取得することは、
前記ＭＳＧ３メッセージから一部のＵＥコンテキスト識別情報、前記第２基地局の識別情報と第１基地局の識別情報との差値及び前記第２基地局の識別情報と第１基地局の識別子との大小関係を取得することと、
前記一部のＵＥコンテキスト識別情報、前記第２基地局の識別情報と第１基地局の識別情報との差値及び前記第２基地局の識別情報と第１基地局の識別子との大小関係に基づき、前記第２基地局の識別情報を決定することと、を含む請求項６に記載の方法。
【請求項８】
前記ＭＳＧ３メッセージから一部のＵＥコンテキスト識別情報及び第２基地局に対する識別情報の関連情報を取得することは、
前記ＭＳＧ３メッセージから一部のＵＥコンテキスト識別情報、前記第２基地局に対する識別情報の位置指示情報を取得することを含み、
前記第２基地局に対する識別情報の位置指示情報は、少なくとも前記第２基地局に対する識別情報がＭＳＧ５において送信されることを示すことに用いられる請求項６に記載の方法。
【請求項９】
ＵＥから送信されたＭＳＧ３メッセージを受信した後、前記方法は、更に、
ＭＳＧ５から前記第２基地局に対する識別情報及び／又は前記一部のＵＥコンテキスト識別情報を取得することを含む請求項８に記載の方法。
【請求項１０】
前記第２基地局の識別情報を取得した後、前記方法は、更に、
前記第２基地局の識別情報に基づいて前記ＵＥのコンテキスト情報を取得することを含む請求項７又は９に記載の方法。
【請求項１１】
ＵＥであって、
ＭＳＧ３メッセージに一部のＵＥコンテキスト識別情報及び第２基地局に対する識別情報の関連情報を含ませる第１処理ユニットと、
前記ＭＳＧ３メッセージを第１基地局に送信する第１通信ユニットと、を備えるＵＥ。
【請求項１２】
前記第１処理ユニットは、ＭＳＧ３メッセージに一部のＵＥコンテキスト識別情報及び第２基地局に対する識別情報の関連情報を含ませる前に、前記第２基地局の識別情報と第１基地局の識別情報との差値を取得し、前記差値がプリセット値より大きいかどうかを判断する請求項１１に記載のＵＥ。
【請求項１３】
前記第１処理ユニットは、前記差値が前記プリセット値以下である場合、前記第２基地局の識別情報と第１基地局の識別情報との差値及び前記第２基地局の識別情報と第１基地局の識別子との大小関係を前記第２基地局に対する識別情報の関連情報とする請求項１２に記載のＵＥ。
【請求項１４】
前記第１処理ユニットは、前記差値が前記プリセット値より大きい場合、前記第２基地局に対する識別情報の位置指示情報を前記第２基地局に対する識別情報の関連情報とし、
前記第２基地局に対する識別情報の位置指示情報は、少なくとも前記第２基地局に対する識別情報がＭＳＧ５において送信されることを示すことに用いられる請求項１２に記載のＵＥ。
【請求項１５】
前記第１処理ユニットは、ＭＳＧ５に前記第２基地局に対する識別情報及び／又は前記一部のＵＥコンテキスト識別情報を含ませ、
第１通信ユニットは前記ＭＳＧ５を前記第１基地局に送信する請求項１４に記載のＵＥ。
【請求項１６】
基地局であって、
ＵＥから送信されたＭＳＧ３メッセージを受信する第２通信ユニットと、
前記ＭＳＧ３メッセージから一部のＵＥコンテキスト識別情報及び第２基地局に対する識別情報の関連情報を取得する第２処理ユニットと、を備える基地局。
【請求項１７】
前記第２処理ユニットは、前記ＭＳＧ３メッセージから一部のＵＥコンテキスト識別情報、前記第２基地局の識別情報と第１基地局の識別情報との差値及び前記第２基地局の識別情報と第１基地局の識別子との大小関係を取得し、
前記一部のＵＥコンテキスト識別情報、前記第２基地局の識別情報と第１基地局の識別情報との差値及び前記第２基地局の識別情報と第１基地局の識別子との大小関係に基づき、前記第２基地局の識別情報を決定する請求項１６に記載の基地局。
【請求項１８】
前記第２処理ユニットは、前記ＭＳＧ３メッセージから一部のＵＥコンテキスト識別情報、前記第２基地局に対する識別情報の位置指示情報を取得し、
前記第２基地局に対する識別情報の位置指示情報は、少なくとも前記第２基地局に対する識別情報がＭＳＧ５において送信されることを示すことに用いられる請求項１６に記載の基地局。
【請求項１９】
前記第２処理ユニットは、ＭＳＧ５から前記第２基地局に対する識別情報及び／又は前記一部のＵＥコンテキスト識別情報を取得する請求項１８に記載の基地局。
【請求項２０】
前記第２処理ユニットは、前記第２基地局の識別情報に基づいて前記ＵＥのコンテキスト情報を取得する請求項１７又は１９に記載の基地局。
【請求項２１】
ＵＥであって、
プロセッサと、プロセッサにおいて実行できるコンピュータプログラムを記憶するためのメモリと、を備え、
前記プロセッサは前記コンピュータプログラムを実行するとき、請求項１〜５のいずれか１項に記載の方法のステップを実行することに用いられるＵＥ。
【請求項２２】
基地局であって、
プロセッサと、プロセッサにおいて実行できるコンピュータプログラムを記憶するためのメモリと、を備え、
前記プロセッサは前記コンピュータプログラムを実行するとき、請求項６〜１０のいずれか１項に記載の方法のステップを実行することに用いられる基地局。
【請求項２３】
コンピュータ記憶媒体であって、
コンピュータ実行可能命令が記憶され、前記コンピュータ実行可能命令が実行されるとき、請求項１〜１０のいずれか１項に記載の方法のステップを実現するコンピュータ記憶媒体。
【発明の詳細な説明】
【技術分野】
【０００１】
本発明は情報処理技術分野に関し、特にコンテキスト識別子の指示方法、取得方法、ユーザー装置（ＵＥ）、基地局及びコンピュータ記憶媒体に関する。
【背景技術】
【０００２】
現在、人々の速度、遅延、高速モビリティ、エネルギー効率への追求及び将来生活の中のサービスの多様性、複雑性に伴って、３ＧＰＰ国際標準化機構は５Ｇについての研究開発を開始した。５Ｇネットワーク環境において無線インターフェースシグナリングの削減及び無線接続の迅速な回復、データサービスの迅速な回復のために、新たなＲＲＣ状態、すなわちＲＲＣ＿ＩＮＡＣＴＩＶＥ状態を定義した。このような状態はＲＲＣ＿ＩＤＬＥ及びＲＲＣ＿ＡＣＴＩＶＥ状態と異なる。ネットワーク側はＵＥがＲＲＣ＿ＩＮＡＣＴＩＶＥ状態に入るように命令するとき、ネットワーク側はＵＥに１つの識別子を割り当て、該識別子はＵＥのコンテキストを識別することに用いられるとともに、ＵＥコンテキストが保存されるｇＮＢをアドレッシングするためのものであり、同時に、ネットワーク側はこの識別子及びページング領域等の情報をＵＥに設定する。ＵＥが接続を回復する場合、ＭＳＧ３によってネットワーク側に送信し、該メッセージにＵＥコンテキスト識別子が含まれることにより、コンテキストの取得及びコンテキストが保存されるｇＮＢのアドレッシングを行うことをネットワーク側に通知する。
【０００３】
しかしながら、現在、ＭＳＧ３のサイズが４８ｂｉｔに基づいて設計しており、依然として４０ｂｉｔ識別子に基づいて設定すれば、ＭＳＧ３のサイズが大きくなるため、基地局のＭＳＧ２におけるｇｒａｎｔは、常に８０ｂｉｔサイズを割り当てることでＵＬ  ｇｒａｎｔ（従来の５６ｂｉｔ）を割り当てる必要がある。以上によれば、従来技術において、ＭＳＧ３はシグナリング負荷を軽減できず、リソースをある程度浪費してしまう。
【発明の概要】
【発明が解決しようとする課題】
【０００４】
上記技術的問題を解決するために、本発明の実施例はコンテキスト識別子の指示方法、取得方法、ユーザー装置（ＵＥ）、基地局及びコンピュータ記憶媒体を提供する。
【課題を解決するための手段】
【０００５】
本発明の実施例に係るコンテキスト識別子の指示方法はユーザー装置（ＵＥ）に適用され、
ＭＳＧ３メッセージに一部のＵＥコンテキスト識別情報及び第２基地局に対する識別情報の関連情報を含ませることと、
前記ＭＳＧ３メッセージを第１基地局に送信することと、を含む。
【０００６】
本発明の実施例に係るコンテキスト識別子の取得方法は第１基地局に適用され、
ＵＥから送信されたＭＳＧ３メッセージを受信することと、
前記ＭＳＧ３メッセージから一部のＵＥコンテキスト識別情報及び第２基地局に対する識別情報の関連情報を取得することと、を含む。
【０００７】
本発明の実施例は更にＵＥを提供し、該ＵＥは、
ＭＳＧ３メッセージに一部のＵＥコンテキスト識別情報及び第２基地局に対する識別情報の関連情報を含ませる第１処理ユニットと、
前記ＭＳＧ３メッセージを第１基地局に送信する第１通信ユニットと、を備える。
【０００８】
本発明の実施例は更に基地局を提供し、該基地局は、
ＵＥから送信されたＭＳＧ３メッセージを受信する第２通信ユニットと、
前記ＭＳＧ３メッセージから一部のＵＥコンテキスト識別情報及び第２基地局に対する識別情報の関連情報を取得する第２処理ユニットと、を備える。
【０００９】
本発明の実施例は更にＵＥを提供し、該ＵＥはプロセッサと、プロセッサにおいて実行できるコンピュータプログラムを記憶するためのメモリと、を備え、
前記プロセッサは前記コンピュータプログラムを実行するとき、上記方法のステップを実行することに用いられる。
【００１０】
本発明の実施例は更に基地局を提供し、該基地局はプロセッサと、プロセッサにおいて実行できるコンピュータプログラムを記憶するためのメモリと、を備え、
前記プロセッサは前記コンピュータプログラムを実行するとき、上記方法のステップを実行することに用いられる。
【００１１】
本発明の実施例は更にコンピュータ記憶媒体を提供し、前記コンピュータ記憶媒体にコンピュータ実行可能命令が記憶され、前記コンピュータ実行可能命令が実行されるとき、上記方法のステップを実現する。
【発明の効果】
【００１２】
本発明の実施例の技術案において、ＵＥがＭＳＧ３に一部のコンテキスト情報及び第２基地局に対する識別情報の関連情報を示すことにより、現在の基地局がＵＥの完全なコンテキスト情報を取得し、更にコンテキストの取得及びコンテキストが保存される基地局のアドレッシングを行うことができ、それによりＲＲＣ接続を回復させ、シグナリング負荷の軽減、リソース浪費の回避を実現する。
【図面の簡単な説明】
【００１３】
【図１】図１は本発明の実施例に係るコンテキスト識別子の指示方法の模式的なフローチャートである。
【図２】図２は本発明の実施例に係るコンテキスト識別子の取得方法の模式的なフローチャートである。
【図３】図３は本発明の実施例の処理プロセス全体の模式図である。
【図４】図４は本発明の実施例のＵＥの要部構成の模式図である。
【図５】図５は本発明の実施例の基地局の要部構成の模式図である。
【図６】図６は本発明の実施例のハードウェアアーキテクチャの模式図である。
【発明を実施するための形態】
【００１４】
本発明の実施例の特徴及び技術的内容を更に詳しく理解するために、以下に図面を参照しながら本発明の実施例の実現を詳しく説明し、添付の図面は参照・説明のためのものであって、本発明の実施例を制限するためのものではない。
【００１５】
実施例１
本発明の実施例に係るコンテキスト識別子の指示方法はＵＥに適用され、図１に示すように、
ＭＳＧ３メッセージに一部のＵＥコンテキスト識別情報及び第２基地局に対する識別情報の関連情報を含ませるステップ１０１と、
前記ＭＳＧ３メッセージを第１基地局に送信するステップ１０２と、を含む。
【００１６】
ここで、前記ＵＥはスマートフォン、タブレットＰＣ等の移動体通信ネットワークにアクセスできる装置であってもよい。
【００１７】
ステップ１０１を実行する前、即ちＭＳＧ３メッセージに一部のＵＥコンテキスト識別情報及び第２基地局に対する識別情報の関連情報を含ませる前に、前記方法は、更に、
前記第２基地局の識別情報と第１基地局の識別情報との差値を取得することと、
前記差値がプリセット値より大きいかどうかを判断することと、を含む。
【００１８】
具体的には、前記差値がプリセット値より大きいかどうかを判断した後、前記差値が前記プリセット値以下である場合、前記第２基地局の識別情報と第１基地局の識別情報との差値及び前記第２基地局の識別情報と第１基地局の識別子との大小関係を前記第２基地局に対する識別情報の関連情報とする。
【００１９】
前記第１基地局はＵＥの現在位置する基地局、すなわち現在ＵＥにサービスを提供する基地局であると理解されてもよく、第２基地局はＵＥコンテキスト情報に記録される基地局である。
【００２０】
即ち、現在の基地局と記録される基地局との識別情報の間の差値が一定値より小さい場合、ＭＳＧ３にすべての情報を設定でき、この時、差値及びそれに対応する関係をいずれもＭＳＧ３に含ませてもよい。
【００２１】
前記プリセット値は実際の状況に応じて設定されてもよく、具体的に、設定できるデータビットの長さに関連し、データビットには４つのｂｉｔが差値を示す場合、プリセット値は１６に設定されてもよく、即ち、１６を超えると、５つのｂｉｔ及びそれ以上で示されなければならない。
【００２２】
具体的には、前記差値がプリセット値より大きいかどうかを判断した後、前記差値が前記プリセット値より大きい場合、前記第２基地局に対する識別情報の位置指示情報を前記第２基地局に対する識別情報の関連情報とし、
前記第２基地局に対する識別情報の位置指示情報は、少なくとも前記第２基地局に対する識別情報がＭＳＧ５において送信されることを示すことに用いられる。
【００２３】
このようなシーンにおいて、即ち、一部のＵＥコンテキスト識別情報及び／又は第２基地局の識別情報がＭＳＧ５に含まれて送信されてもよく、具体的に、ＭＳＧ５に前記第２基地局に対する識別情報及び／又は前記一部のＵＥコンテキスト識別情報を含ませ、
前記ＭＳＧ５を前記第１基地局に送信する。
【００２４】
以上によれば、ＵＥがＭＳＧ３に一部のコンテキスト情報及び第２基地局に対する識別情報の関連情報を示すことにより、現在の基地局がＵＥの完全なコンテキスト情報を取得し、更にコンテキストの取得及びコンテキストが保存される基地局のアドレッシングを行うことができ、それによりＲＲＣ接続を回復させる。シグナリング負荷の軽減、リソース浪費の回避を実現する。
【００２５】
実施例２
本発明の実施例に係るコンテキスト識別子の取得方法は第１基地局に適用され、図２に示すように、
ＵＥから送信されたＭＳＧ３メッセージを受信するステップ２０１と、
前記ＭＳＧ３メッセージから一部のＵＥコンテキスト識別情報及び第２基地局に対する識別情報の関連情報を取得するステップ２０２と、を含む。
【００２６】
ここで、前記ＵＥはスマートフォン、タブレットＰＣ等の移動体通信ネットワークにアクセスできる装置であってもよい。
【００２７】
実施例１に係る第２基地局に対する識別情報の関連情報を設定する２つの方式に対応して、本実施例も同様に複数の解析方式を有する。
【００２８】
第１方式
該第１方式はＭＳＧ３に差値及び大小関係が含まれる処理方式である。
前記ＭＳＧ３メッセージから一部のＵＥコンテキスト識別情報及び第２基地局に対する識別情報の関連情報を取得することは、
前記ＭＳＧ３メッセージから一部のＵＥコンテキスト識別情報、前記第２基地局の識別情報と第１基地局の識別情報との差値及び前記第２基地局の識別情報と第１基地局の識別子との大小関係を取得することと、
前記一部のＵＥコンテキスト識別情報、前記第２基地局の識別情報と第１基地局の識別情報との差値及び前記第２基地局の識別情報と第１基地局の識別子との大小関係に基づき、前記第２基地局の識別情報を決定することと、を含む。
【００２９】
前記第１基地局はＵＥの現在位置する基地局、すなわち現在ＵＥにサービスを提供する基地局であると理解されてもよく、第２基地局はＵＥコンテキスト情報に記録される基地局である。
【００３０】
即ち、現在の基地局と記録される基地局との識別情報の間の差値が一定値より小さい場合、ＭＳＧ３にすべての情報を設定でき、この時、差値及びそれに対応する関係をいずれもＭＳＧ３に含ませてもよい。
【００３１】
前記プリセット値は実際の状況に応じて設定されてもよく、具体的に、設定できるデータビットの長さに関連し、データビットには４つのｂｉｔが差値を示す場合、プリセット値は１６に設定されてもよく、即ち、１６を超えると、５つのｂｉｔ及びそれ以上で示されなければならない。
【００３２】
第２方式
該第２方式はＭＳＧ３から指示情報を取得し、次にＭＳＧ５から具体的な識別情報を取得する。
【００３３】
具体的には、前記差値がプリセット値より大きいかどうかを判断した後、前記差値が前記プリセット値より大きい場合、前記第２基地局に対する識別情報の位置指示情報を前記第２基地局に対する識別情報の関連情報とし、
前記第２基地局に対する識別情報の位置指示情報は、少なくとも前記第２基地局に対する識別情報がＭＳＧ５において送信されることを示すことに用いられる。
【００３４】
前記ＭＳＧ３メッセージから一部のＵＥコンテキスト識別情報、前記第２基地局に対する識別情報の位置指示情報を取得し、前記第２基地局に対する識別情報の位置指示情報は、少なくとも前記第２基地局に対する識別情報がＭＳＧ５において送信されることを示すことに用いられる。
【００３５】
このようなシーンにおいて、即ち、一部のＵＥコンテキスト識別情報及び／又は第２基地局の識別情報がＭＳＧ５に含まれて送信されてもよく、具体的に、ＭＳＧ５に前記第２基地局に対する識別情報及び／又は前記一部のＵＥコンテキスト識別情報を含ませ、前記ＭＳＧ５を前記第１基地局に送信する。それに対応して、基地局側では、ＵＥから送信されたＭＳＧ３メッセージを受信した後、前記方法は、更に、
ＭＳＧ５から前記第２基地局に対する識別情報及び／又は前記一部のＵＥコンテキスト識別情報を取得することを含む。
【００３６】
前記第２基地局の識別情報を取得した後、前記方法は、更に、
前記第２基地局の識別情報に基づいて前記ＵＥのコンテキスト情報を取得することを含む。
【００３７】
本実施例は図３を参照しながら具体的なリアルタイムプロセスを提供し、まず、ＭＳＧ３サイズの制限を考慮せずにＵＥコンテキストＩＤを設計し、例えば依然として４０ｂｉｔ、２０ｂｉｔ基地局ＩＤ＋２０ｂｉｔコンテキストＩＤを設計し、次に以下の処理を実行する。
【００３８】
１、ＵＥがｉｎａｃｔｉｖｅ状態に入る場合、ネットワーク側はＵＥコンテキストＩＤ及びページング領域等の情報を設定する。
【００３９】
２、ｉｎａｃｔｉｖｅ  ＵＥがＲＲＣ接続回復を開始する場合、ＭＳＧ３メッセージに、例えばステップ１における２０ｂｉｔのコンテキスト識別子、及び現在の基地局の基地局ＩＤとコンテキストが保存される基地局の基地局ＩＤとの差値を含ませてネットワーク側に報告し、例えば該差値がＭＳＧ３では４ｂｉｔで示される。同時に、現在の基地局の基地局ＩＤがコンテキストを保存する基地局の基地局ＩＤより大きいかそれとも小さいかを示す。
【００４０】
３、現在の基地局の基地局ＩＤとコンテキストを保存する基地局の基地局ＩＤとの差値が１６より大きく、４つのｂｉｔで示されない場合、ＭＳＧ３にＵＥコンテキスト識別子を含ませて、ＭＳＧ３に１つのインジケータを追加することにより、コンテキスト識別子をＭＳＧ５に含ませてネットワーク側に送ることをネットワーク側に指示する。
【００４１】
４、ＵＥコンテキスト識別子を取得した後、ＵＥコンテキストを取得し、専用ベアラを確立し、サービスデータの送受信を行う。
【００４２】
以上によれば、ＵＥがＭＳＧ３に一部のコンテキスト情報及び第２基地局に対する識別情報の関連情報を示すことにより、現在の基地局がＵＥの完全なコンテキスト情報を取得し、更にコンテキストの取得及びコンテキストが保存される基地局のアドレッシングを行うことができ、それによりＲＲＣ接続を回復させる。シグナリング負荷の軽減、リソース浪費の回避を実現する。
【００４３】
実施例３
本発明の実施例に係るＵＥは、図４に示すように、
ＭＳＧ３メッセージに一部のＵＥコンテキスト識別情報及び第２基地局に対する識別情報の関連情報を含ませる第１処理ユニット４１と、
前記ＭＳＧ３メッセージを第１基地局に送信する第１通信ユニット４２と、を備える。
【００４４】
ここで、前記ＵＥはスマートフォン、タブレットＰＣ等の移動体通信ネットワークにアクセスできる装置であってもよい。
【００４５】
即ち、ＭＳＧ３メッセージに一部のＵＥコンテキスト識別情報及び第２基地局に対する識別情報の関連情報を含ませる前に、前記第１処理ユニット４１は、前記第２基地局の識別情報と第１基地局の識別情報との差値を取得し、
前記差値がプリセット値より大きいかどうかを判断する。
【００４６】
具体的には、前記差値がプリセット値より大きいかどうかを判断した後、前記差値が前記プリセット値以下である場合、前記第２基地局の識別情報と第１基地局の識別情報との差値及び前記第２基地局の識別情報と第１基地局の識別子との大小関係を前記第２基地局に対する識別情報の関連情報とする。
【００４７】
前記第１基地局はＵＥの現在位置する基地局、すなわち現在ＵＥにサービスを提供する基地局であると理解されてもよく、第２基地局はＵＥコンテキスト情報に記録される基地局である。
【００４８】
即ち、現在の基地局と記録される基地局との識別情報の間の差値が一定値より小さい場合、ＭＳＧ３にすべての情報を設定でき、この時、差値及びそれに対応する関係をいずれもＭＳＧ３に含ませてもよい。
【００４９】
前記プリセット値は実際の状況に応じて設定されてもよく、具体的に、設定できるデータビットの長さに関連し、データビットには４つのｂｉｔが差値を示す場合、プリセット値は１６に設定されてもよく、即ち、１６を超えると、５つのｂｉｔ及びそれ以上で示されなければならない。
【００５０】
具体的には、前記差値がプリセット値より大きいかどうかを判断した後、第１処理ユニット４１は、前記差値が前記プリセット値より大きい場合、前記第２基地局に対する識別情報の位置指示情報を前記第２基地局に対する識別情報の関連情報とし、
前記第２基地局に対する識別情報の位置指示情報は、少なくとも前記第２基地局に対する識別情報がＭＳＧ５において送信されることを示すことに用いられる。
【００５１】
このようなシーンにおいて、即ち、一部のＵＥコンテキスト識別情報及び／又は第２基地局の識別情報がＭＳＧ５に含まれて送信されてもよく、具体的に、ＭＳＧ５に前記第２基地局に対する識別情報及び／又は前記一部のＵＥコンテキスト識別情報を含ませ、
前記ＭＳＧ５を前記第１基地局に送信する。
【００５２】
以上によれば、ＵＥがＭＳＧ３に一部のコンテキスト情報及び第２基地局に対する識別情報の関連情報を示すことにより、現在の基地局がＵＥの完全なコンテキスト情報を取得し、更にコンテキストの取得及びコンテキストが保存される基地局のアドレッシングを行うことができ、それによりＲＲＣ接続を回復させる。シグナリング負荷の軽減、リソース浪費の回避を実現する。
【００５３】
実施例２
本発明の実施例に係る基地局は、図５に示すように、
ＵＥから送信されたＭＳＧ３メッセージを受信する第２通信ユニット５１と、
前記ＭＳＧ３メッセージから一部のＵＥコンテキスト識別情報及び第２基地局に対する識別情報の関連情報を取得する第２処理ユニット５２と、を備える。
【００５４】
ここで、前記ＵＥはスマートフォン、タブレットＰＣ等の移動体通信ネットワークにアクセスできる装置であってもよい。
【００５５】
実施例１に係る第２基地局に対する識別情報の関連情報を設定する２つの方式に対応して、本実施例も同様に複数の解析方式を有する。
【００５６】
第１方式
該第１方式はＭＳＧ３に差値及び大小関係が含まれる処理方式である。
【００５７】
前記第２処理ユニット５２は、前記ＭＳＧ３メッセージから一部のＵＥコンテキスト識別情報、前記第２基地局の識別情報と第１基地局の識別情報との差値及び前記第２基地局の識別情報と第１基地局の識別子との大小関係を取得し、
前記一部のＵＥコンテキスト識別情報、前記第２基地局の識別情報と第１基地局の識別情報との差値及び前記第２基地局の識別情報と第１基地局の識別子との大小関係に基づき、前記第２基地局の識別情報を決定する。
【００５８】
前記第１基地局はＵＥの現在位置する基地局、すなわち現在ＵＥにサービスを提供する基地局であると理解されてもよく、第２基地局はＵＥコンテキスト情報に記録される基地局である。
【００５９】
即ち、現在の基地局と記録される基地局との識別情報の間の差値が一定値より小さい場合、ＭＳＧ３にすべての情報を設定でき、この時、差値及びそれに対応する関係をいずれもＭＳＧ３に含ませてもよい。
【００６０】
前記プリセット値は実際の状況に応じて設定されてもよく、具体的に、設定できるデータビットの長さに関連し、データビットには４つのｂｉｔが差値を示す場合、プリセット値は１６に設定されてもよく、即ち、１６を超えると、５つのｂｉｔ及びそれ以上で示されなければならない。
【００６１】
第２方式
該第２方式はＭＳＧ３から指示情報を取得し、次にＭＳＧ５から具体的な識別情報を取得する。
【００６２】
具体的には、前記差値がプリセット値より大きいかどうかを判断した後、前記差値が前記プリセット値より大きい場合、前記第２基地局に対する識別情報の位置指示情報を前記第２基地局に対する識別情報の関連情報とし、
前記第２基地局に対する識別情報の位置指示情報は、少なくとも前記第２基地局に対する識別情報がＭＳＧ５において送信されることを示すことに用いられる。
【００６３】
第２処理ユニット５２は、前記ＭＳＧ３メッセージから一部のＵＥコンテキスト識別情報、前記第２基地局に対する識別情報の位置指示情報を取得し、前記第２基地局に対する識別情報の位置指示情報は少なくとも前記第２基地局に対する識別情報がＭＳＧ５において送信されることを示すことに用いられる。
【００６４】
このようなシーンにおいて、即ち、一部のＵＥコンテキスト識別情報及び／又は第２基地局の識別情報がＭＳＧ５に含まれて送信されてもよく、具体的に、ＭＳＧ５に前記第２基地局に対する識別情報及び／又は前記一部のＵＥコンテキスト識別情報を含ませ、前記ＭＳＧ５を前記第１基地局に送信する。それに対応して、基地局側では、第２処理ユニット５２は、ＵＥから送信されたＭＳＧ３メッセージを受信した後、前記方法は、更に、
ＭＳＧ５から前記第２基地局に対する識別情報及び／又は前記一部のＵＥコンテキスト識別情報を取得することを含む。
【００６５】
前記第２基地局の識別情報を取得した後、前記方法は、更に、
前記第２基地局の識別情報に基づいて前記ＵＥのコンテキスト情報を取得することを含む。
【００６６】
以上によれば、ＵＥがＭＳＧ３に一部のコンテキスト情報及び第２基地局に対する識別情報の関連情報を示すことにより、現在の基地局がＵＥの完全なコンテキスト情報を取得し、更にコンテキストの取得及びコンテキストが保存される基地局のアドレッシングを行うことができ、それによりＲＲＣ接続を回復させる。シグナリング負荷の軽減、リソース浪費の回避を実現する。
【００６７】
本発明の実施例は更にＵＥ又は基地局のハードウェア構成のアーキテクチャを提供し、図６に示すように、それは少なくとも１つのプロセッサ６０１、メモリ６０２、少なくとも１つのネットワークインターフェース６０３を備える。各コンポーネントはバスシステム６０４によって一体に結合される。理解されるように、バスシステム６０４はこれらのコンポーネント間の接続通信を実現することに用いられる。バスシステム６０４はデータバスのほか、更に電源バス、制御バス及び状態信号バスを含む。しかしながら、明確に説明するために、図５では様々なバスがいずれもバスシステム６０４と記される。
【００６８】
理解されるように、本発明の実施例におけるメモリ６０２は揮発性メモリであっても、又は不揮発性メモリであってもよく、又は、揮発性メモリ及び不揮発性メモリの両方を含んでもよい。
【００６９】
いくつかの対応方式では、メモリ６０２には、オペレーティングシステム６０２１及びアプリケーションプログラム６０２２が記憶され、モジュール又はデータ構造、又は、それらのサブセット又はそれらの拡張セットを実行可能である。
【００７０】
前記プロセッサ６０１は、実施例１又は実施例２に記載のすべての方法のステップを実行できるように構成され、ここで詳細な説明は省略する。
【００７１】
本発明の実施例に係るコンピュータ記憶媒体であって、前記コンピュータ記憶媒体にコンピュータ実行可能命令が記憶され、前記コンピュータ実行可能命令が実行されるとき、上記実施例１又は実施例２の方法のステップを実施し、ここで詳細な説明は省略する。
【００７２】
本発明の実施例の上記装置はソフトウェア機能モジュールの形式で実現され、独立した製品として販売又は使用されるときは、１つのコンピュータ可読記憶媒体に記憶されてもよい。このような理解に基づき、本発明の実施例の技術案の本質的又は従来技術に貢献する部分はソフトウェア製品の形式で具現されてもよく、該コンピュータソフトウェア製品は、１台のコンピュータ装置（パーソナルコンピュータ、サーバ又はネットワーク装置等）に本発明の各実施例に記載の方法の全部又は一部を実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェア及びソフトウェアの組み合わせに制限されていない。
【００７３】
それに対応して、本発明の実施例は更にコンピュータ記憶媒体を提供し、該コンピュータ記憶媒体にコンピュータプログラムが記憶され、該コンピュータプログラムは本発明の実施例のデータスケジューリング方法を実行するように構成される。
【００７４】
例示のため、本発明の好適な実施例を開示したが、当業者であれば意識できるように、種々の改良、追加及び置換も可能であり、従って、本発明の範囲は上記実施例に限らない。
【図１】
2021502720.tif 000003
【図２】
2021502720.tif 000004
【図３】
2021502720.tif 000005
【図４】
2021502720.tif 000006
【図５】
2021502720.tif 000007
【図６】
2021502720.tif 000008
【手続補正書】
【提出日】令和2年9月15日(2020.9.15)
【手続補正１】
【補正対象書類名】明細書
【補正対象項目名】００１８
【補正方法】変更
【補正の内容】
【００１８】
具体的には、前記差値がプリセット値より大きいかどうかを判断した後、前記差値が前記プリセット値以下である場合、前記第２基地局の識別情報と第１基地局の識別情報との差値及び前記第２基地局の識別情報と第１基地局の識別情報との大小関係を前記第２基地局に対する識別情報の関連情報とする。
【手続補正２】
【補正対象書類名】明細書
【補正対象項目名】００２８
【補正方法】変更
【補正の内容】
【００２８】
第１方式
該第１方式はＭＳＧ３に差値及び大小関係が含まれる処理方式である。
前記ＭＳＧ３メッセージから一部のＵＥコンテキスト識別情報及び第２基地局に対する識別情報の関連情報を取得することは、
前記ＭＳＧ３メッセージから一部のＵＥコンテキスト識別情報、前記第２基地局の識別情報と第１基地局の識別情報との差値及び前記第２基地局の識別情報と第１基地局の識別情報との大小関係を取得することと、
前記一部のＵＥコンテキスト識別情報、前記第２基地局の識別情報と第１基地局の識別情報との差値及び前記第２基地局の識別情報と第１基地局の識別情報との大小関係に基づき、前記第２基地局の識別情報を決定することと、を含む。
【手続補正３】
【補正対象書類名】明細書
【補正対象項目名】００４０
【補正方法】変更
【補正の内容】
【００４０】
３、現在の基地局の基地局ＩＤとコンテキストを保存する基地局の基地局ＩＤとの差値が１６より大きく、４つのｂｉｔで示されない場合、ＭＳＧ３にＵＥコンテキスト識別子を含ませなく、ＭＳＧ３に１つのインジケータを追加することにより、コンテキスト識別子をＭＳＧ５に含ませてネットワーク側に送ることをネットワーク側に指示する。
【手続補正４】
【補正対象書類名】明細書
【補正対象項目名】００４６
【補正方法】変更
【補正の内容】
【００４６】
具体的には、前記差値がプリセット値より大きいかどうかを判断した後、前記差値が前記プリセット値以下である場合、前記第２基地局の識別情報と第１基地局の識別情報との差値及び前記第２基地局の識別情報と第１基地局の識別情報との大小関係を前記第２基地局に対する識別情報の関連情報とする。
【手続補正５】
【補正対象書類名】明細書
【補正対象項目名】００５３
【補正方法】変更
【補正の内容】
【００５３】
実施例４
本発明の実施例に係る基地局は、図５に示すように、
ＵＥから送信されたＭＳＧ３メッセージを受信する第２通信ユニット５１と、
前記ＭＳＧ３メッセージから一部のＵＥコンテキスト識別情報及び第２基地局に対する識別情報の関連情報を取得する第２処理ユニット５２と、を備える。
【手続補正６】
【補正対象書類名】明細書
【補正対象項目名】００５７
【補正方法】変更
【補正の内容】
【００５７】
前記第２処理ユニット５２は、前記ＭＳＧ３メッセージから一部のＵＥコンテキスト識別情報、前記第２基地局の識別情報と第１基地局の識別情報との差値及び前記第２基地局の識別情報と第１基地局の識別情報との大小関係を取得し、
前記一部のＵＥコンテキスト識別情報、前記第２基地局の識別情報と第１基地局の識別情報との差値及び前記第２基地局の識別情報と第１基地局の識別情報との大小関係に基づき、前記第２基地局の識別情報を決定する。
【手続補正７】
【補正対象書類名】明細書
【補正対象項目名】００６４
【補正方法】変更
【補正の内容】
【００６４】
このようなシーンにおいて、即ち、一部のＵＥコンテキスト識別情報及び／又は第２基地局の識別情報がＭＳＧ５に含まれて送信されてもよく、具体的に、ＭＳＧ５に前記第２基地局に対する識別情報及び／又は前記一部のＵＥコンテキスト識別情報を含ませ、前記ＭＳＧ５を前記第１基地局に送信する。それに対応して、基地局側では、第２処理ユニット５２は、ＵＥから送信されたＭＳＧ３メッセージを受信した後、更に、
ＭＳＧ５から前記第２基地局に対する識別情報及び／又は前記一部のＵＥコンテキスト識別情報を取得するように構成される。
【手続補正８】
【補正対象書類名】明細書
【補正対象項目名】００６５
【補正方法】変更
【補正の内容】
【００６５】
前記第２基地局の識別情報を取得した後、第２処理ユニット５２は、更に、
前記第２基地局の識別情報に基づいて前記ＵＥのコンテキスト情報を取得するように構成される。
【手続補正９】
【補正対象書類名】明細書
【補正対象項目名】００６７
【補正方法】変更
【補正の内容】
【００６７】
本発明の実施例は更にＵＥ又は基地局のハードウェア構成のアーキテクチャを提供し、図６に示すように、それは少なくとも１つのプロセッサ６０１、メモリ６０２、少なくとも１つのネットワークインターフェース６０３を備える。各コンポーネントはバスシステム６０４によって一体に結合される。理解されるように、バスシステム６０４はこれらのコンポーネント間の接続通信を実現することに用いられる。バスシステム６０４はデータバスのほか、更に電源バス、制御バス及び状態信号バスを含む。しかしながら、明確に説明するために、図６では様々なバスがいずれもバスシステム６０４と記される。
【手続補正１０】
【補正対象書類名】明細書
【補正対象項目名】００７３
【補正方法】変更
【補正の内容】
【００７３】
それに対応して、本発明の実施例は更にコンピュータ記憶媒体を提供し、該コンピュータ記憶媒体にコンピュータプログラムが記憶され、該コンピュータプログラムは本発明の実施例のコンテキスト識別子の指示方法、取得方法を実行するように構成される。
【手続補正１１】
【補正対象書類名】特許請求の範囲
【補正対象項目名】全文
【補正方法】変更
【補正の内容】
【特許請求の範囲】
【請求項１】
コンテキスト識別子の指示方法であって、
ユーザー装置（ＵＥ）に適用され、
ＭＳＧ３メッセージに一部のＵＥコンテキスト識別情報及び第２基地局に対する識別情報の関連情報を含ませることと、
前記ＭＳＧ３メッセージを第１基地局に送信することと、を含むコンテキスト識別子の指示方法。
【請求項２】
ＭＳＧ３メッセージに一部のＵＥコンテキスト識別情報及び第２基地局に対する識別情報の関連情報を含ませる前に、前記方法は、更に、
前記第２基地局の識別情報と第１基地局の識別情報との差値を取得することと、
前記差値がプリセット値より大きいかどうかを判断することと、を含む請求項１に記載の方法。
【請求項３】
前記方法は、更に、
前記差値が前記プリセット値以下である場合、前記第２基地局の識別情報と第１基地局の識別情報との差値及び前記第２基地局の識別情報と第１基地局の識別情報との大小関係を前記第２基地局に対する識別情報の関連情報とすることを含む請求項２に記載の方法。
【請求項４】
前記方法は、更に、
前記差値が前記プリセット値より大きい場合、前記第２基地局に対する識別情報の位置指示情報を前記第２基地局に対する識別情報の関連情報とすることを含み、
前記第２基地局に対する識別情報の位置指示情報は、少なくとも前記第２基地局に対する識別情報がＭＳＧ５において送信されることを示すことに用いられる請求項２に記載の方法。
【請求項５】
前記ＭＳＧ３メッセージを前記第１基地局に送信した後、前記方法は、更に、
ＭＳＧ５に前記第２基地局に対する識別情報及び／又は前記一部のＵＥコンテキスト識別情報を含ませることと、
前記ＭＳＧ５を前記第１基地局に送信することと、を含む請求項４に記載の方法。
【請求項６】
コンテキスト識別子の取得方法であって、
第１基地局に適用され、
ＵＥから送信されたＭＳＧ３メッセージを受信することと、
前記ＭＳＧ３メッセージから一部のＵＥコンテキスト識別情報及び第２基地局に対する識別情報の関連情報を取得することと、を含むコンテキスト識別子の取得方法。
【請求項７】
前記ＭＳＧ３メッセージから一部のＵＥコンテキスト識別情報及び第２基地局に対する識別情報の関連情報を取得することは、
前記ＭＳＧ３メッセージから一部のＵＥコンテキスト識別情報、前記第２基地局の識別情報と第１基地局の識別情報との差値及び前記第２基地局の識別情報と第１基地局の識別情報との大小関係を取得することと、
前記一部のＵＥコンテキスト識別情報、前記第２基地局の識別情報と第１基地局の識別情報との差値及び前記第２基地局の識別情報と第１基地局の識別情報との大小関係に基づき、前記第２基地局の識別情報を決定することと、を含む請求項６に記載の方法。
【請求項８】
前記ＭＳＧ３メッセージから一部のＵＥコンテキスト識別情報及び第２基地局に対する識別情報の関連情報を取得することは、
前記ＭＳＧ３メッセージから一部のＵＥコンテキスト識別情報、前記第２基地局に対する識別情報の位置指示情報を取得することを含み、
前記第２基地局に対する識別情報の位置指示情報は、少なくとも前記第２基地局に対する識別情報がＭＳＧ５において送信されることを示すことに用いられる請求項６に記載の方法。
【請求項９】
ＵＥから送信されたＭＳＧ３メッセージを受信した後、前記方法は、更に、
ＭＳＧ５から前記第２基地局に対する識別情報及び／又は前記一部のＵＥコンテキスト識別情報を取得することを含む請求項８に記載の方法。
【請求項１０】
前記第２基地局の識別情報を取得した後、前記方法は、更に、
前記第２基地局の識別情報に基づいて前記ＵＥのコンテキスト情報を取得することを含む請求項７又は９に記載の方法。
【請求項１１】
ＵＥであって、
プロセッサと、プロセッサにおいて実行できるコンピュータプログラムを記憶するためのメモリと、を備え、
前記プロセッサは前記コンピュータプログラムを実行するとき、請求項１〜５のいずれか１項に記載の方法のステップを実行することに用いられるＵＥ。
【請求項１２】
基地局であって、
プロセッサと、プロセッサにおいて実行できるコンピュータプログラムを記憶するためのメモリと、を備え、
前記プロセッサは前記コンピュータプログラムを実行するとき、請求項６〜１０のいずれか１項に記載の方法のステップを実行することに用いられる基地局。
【請求項１３】
コンピュータ記憶媒体であって、
コンピュータ実行可能命令が記憶され、前記コンピュータ実行可能命令が実行されるとき、請求項１〜１０のいずれか１項に記載の方法のステップを実現するコンピュータ記憶媒体。
【手続補正１２】
【補正対象書類名】図面
【補正対象項目名】図３
【補正方法】変更
【補正の内容】
【図３】
2021502720.tif 000009
【国際調査報告】
2021502720.tif 000010
2021502720.tif 000011
2021502720.tif 000012
2021502720.tif 000013